(57)【要約】  【課題】  電池の装着時などにおける電池端子の破損を防止し、また、電池フタの構造を簡単にすることができる。  【解決手段】  電池１４ａはボタン形であって、側面には＋電極が、上面には−電極が形成され、−電極と反対側の面が電池フタ１５により覆われるように構成され、電池の−電極をアンプ回路１２の−側電源ラインに接続するために、本体１０内には電池の−電極面に当接可能な−電池端子１６ａが配置され、また、−電池端子１６ａに当接可能であってアンプ回路の−側電源ラインに接続されたバネ性の−電池端子１６ｂが配置されている。電池フタが開いた状態では−電池端子１６ａが−電池端子１６ｂと接触せず、図２に示すように電池フタが閉じた状態では−電池端子１６ａが−電池端子１６ｂと接触する。【選択図】  図１
2005216684.tif 000002
【特許請求の範囲】
【請求項１】
第１の電極を側面に有し、第２の電極を軸方向の一方の端部に有するボタン型電池を収容するケーシングと、
前記第２の電極と反対側の面に当接可能であり、前記ケーシングに対して開閉可能である電池フタと、
前記ボタン型電池が前記ケーシング内に収納されたとき、前記第１の電極と接触し、回路側の第１の電源ラインに接続された第１の電池端子と、
前記電池フタが閉じられたとき、前記ボタン型電池の前記第２の電極を前記回路側の第２の電源ラインに接続し、前記電池フタが開いたとき、前記ボタン型電池の前記第２の電極を前記回路側の前記第２の電源ラインから切り離す第２の電池端子とを、
有する電源スイッチ装置。
【請求項２】
前記第２の電池端子が、前記ボタン型電池の前記第２の電極により押圧されたとき、弾性変形して前記第２の電源ラインの端子に当接し、前記ボタン型電池の前記第２の電極により押圧されていないとき、復元して前記第２の電源ラインの端子から離間するよう構成された弾性部材である請求項１に記載の電源スイッチ装置。
【請求項３】
請求項１又は２に記載の電源スイッチ装置と、前記回路としてのアンプ回路、マイク、スピーカを前記ケーシング内に有する補聴器。
【発明の詳細な説明】
【技術分野】
【０００１】
本発明は、電池を電池フタにより押圧して装着する際に電源をオンにする電源スイッチ装置及び補聴器に関し、特にボタン電池を電源とする電源スイッチ装置及び補聴器に関する。
【背景技術】
【０００２】
図３、図４は従来例として補聴器の電源スイッチ装置を示す構成図であって、図３は電源切り状態、図４は電源入り状態を示す。補聴器の本体１０内には、補聴器回路を構成する部品としてマイク１１、アンプ回路１２、スピーカ（レシーバ）１３が配置され、また、これらの回路の電源となる電池１４が本体１０内に着脱自在に装着される。電池フタ１５は回動軸１５ａの回りを回動して開閉可能であって、その先端にはフック１５ｂが形成されている。フック１５ｂと本体１０側のフック１０ａは電池フタ１５が閉じた状態で係合可能に構成されている。
【０００３】
電池１４はボタン形であって、相対向する上面、下面にはそれぞれ＋電極、−電極が形成され、＋電極面側が電池フタ１５により覆われるように構成されている。そして、電池１４の−電極をアンプ回路１２の−側電源ラインに接続するために、本体１０内には電池１４の−電極面に当接可能であってアンプ回路１２の−側電源ラインに接続されたバネ性の−電池端子１６が配置されている。また、電池１４の＋電極をアンプ回路１２の＋側電源ラインに接続するために、電池フタ１５には電池１４の＋電極面に当接可能なバネ性の第１の＋電池端子１７ａが配置され、さらに、本体１０内には＋電池端子１７ａに当接可能であってアンプ回路１２の＋側電源ラインに接続された＋電池端子１７ｂが配置されている。
【０００４】
＋電池端子１７ａ、１７ｂについて詳しく説明すると、図３に示すように電池フタ１５が開いた状態では＋電池端子１７ａが＋電池端子１７ｂと接触せず、図４に示すように電池フタ１５が閉じた状態では＋電池端子１７ａが＋電池端子１７ｂと接触するように構成されている。このため、電池１４の交換時など、電池１４の装着時に電池フタ１５が閉じると、電池１４の＋電極、−電極がそれぞれ＋電池端子１７ａ、１７ｂ、−電池端子１６を介してアンプ回路１２の＋側、−側の電源ラインに接続され、アンプ回路１２の電源がオンになるので、電池１４を電池フタ１５により押圧して装着する際に電源をオンにすることができる。なお、従来の補聴器の電源スイッチ装置としては、下記の特許文献１、２などに開示されている。
【特許文献１】特開２００１−２３８２９６号公報（要約書）
【特許文献２】特開平７−１６２９９７号公報（要約書）
【発明の開示】
【発明が解決しようとする課題】
【０００５】
しかしながら、上記従来例では、電池フタ１５側に＋電池端子１７ａが設けられているので、＋電池端子１７ａが電池１４の装着時に破損したり、最悪の場合には電池フタ１５から外れるという問題点がある。また、長年使用していると電池フタの摩耗などにより、交換が必要であるが、電池フタの構造が複雑なためコストがかかってしまうという問題がある。
【０００６】
本発明は上記従来例の問題点に鑑み、電池端子の破損を防止することができ、また、電池フタの構造を単純にできる電源スイッチ装置及び補聴器を提供することを目的とする。
【課題を解決するための手段】
【０００７】
本発明の電源スイッチ装置は上記目的を達成するために、第１の電極を側面に有し、第２の電極を軸方向の一方の端部に有するボタン型電池を収容するケーシングと、
前記第２の電極と反対側の面に当接可能であり、前記ケーシングに対して開閉可能である電池フタと、
前記ボタン型電池が前記ケーシング内に収納されたとき、前記第１の電極と接触し、回路側の第１の電源ラインに接続された第１の電池端子と、
前記電池フタが閉じられたとき、前記ボタン型電池の前記第２の電極を前記回路側の第２の電源ラインに接続し、前記電池フタが開いたとき、前記ボタン型電池の前記第２の電極を前記回路側の前記第２の電源ラインから切り離す第２の電池端子とを、
有する構成とした。
この構成により、電池端子が電池フタ側に設けられていないので、電池の装着時などにおける電池端子の破損を防止することができ、また、電池フタの構造を単純にできる。
【０００８】
また本発明の電源スイッチ装置では、前記第２の電池端子が、前記ボタン型電池の前記第２の電極により押圧されたとき、弾性変形して前記第２の電源ラインの端子に当接し、前記ボタン型電池の前記第２の電極により押圧されていないとき、復元して前記第２の電源ラインの端子から離間するよう構成された弾性部材とすることができる。
この構成により、弾性変形する部材が電池端子が電池フタ側に設けられていないので、電池の装着時などにおける電池端子の破損を防止することができる。
また本発明の補聴器は、請求項１に記載の電源スイッチ装置と、前記回路としてのアンプ回路、マイク、スピーカを前記ケーシング内に有する構成とした。
この構成により、電池の装着時などにおける電池端子の破損を防止することができ、また、電池フタの構造を簡単にすることができる。
【発明の効果】
【０００９】
本発明によれば、電池端子が電池フタ側に設けられていないので、電池の装着時などにおける電池端子の破損を防止することができ、また、電池フタの構造を簡単にすることができる。
【発明を実施するための最良の形態】
【００１０】
以下、図面を参照して本発明の実施の形態について説明する。図１、図２は本発明に係る電源スイッチ装置の一実施の形態として補聴器を示す構成図であって、図１は電源切り状態、図２は電源入り状態を示す。補聴器の本体であるケーシング１０内には、補聴器回路を構成する部品としてマイク１１、アンプ回路１２、スピーカ（レシーバ）１３が配置され、また、これらの回路の電源となる電池１４ａが本体（ケーシング）１０内に着脱自在に装着される。電池フタ１５は回動軸１５ａの回りを回動可能であって、その先端にはフック１５ｂが形成されている。フック１５ｂと本体１０側のフック１０ａは電池フタ１５が閉じた状態で係合可能に構成されている。
【００１１】
電池１４ａはボタン形であって、側面には＋電極が、上面（図では下側）には−電極が形成され、−電極と反対側の面が電池フタ１５により覆われるように構成されている。そして、電池１４ａの−電極をアンプ回路１２の−側電源ラインに接続するために、本体１０内には電池１４ａの−電極面に当接可能でバネ性の−電池端子１６ａが配置され、また、−電池端子１６ａに当接可能であってアンプ回路１２の−側電源ラインに接続されたバネ性の−電池端子１６ｂが配置されている。さらに、電池１４ａの＋電極をアンプ回路１２の＋側電源ラインに接続するために、本体１０内には電池１４ａの＋電極に当接可能であってアンプ回路１２の＋側電源ラインに接続されたバネ性の＋電池端子１７が配置されている。
【００１２】
−電池端子１６ａ、１６ｂについて詳しく説明すると、図１に示すように電池フタ１５が開いた状態では−電池端子１６ａが−電池端子１６ｂと接触せず、図２に示すように電池フタ１５が閉じた状態では−電池端子１６ａが−電池端子１６ｂと接触するように構成されている。このため、電池１４ａの交換時など、電池１４ａの装着時に電池フタ１５が閉じると電池１４ａの＋電極は＋電池端子１７に、−電極は弾性変形して他の−電池端子１６ｂに接触する−電池端子１６ａに接続される。したがってこれらの電極は、それぞれアンプ回路１２の＋側、−側の電源ラインに接続され、アンプ回路１２の電源がオンになるので、電池１４ａを電池フタ１５により押圧して装着する際に電源をオンにすることができる。
【００１３】
したがって、上記実施の形態によれば、電池端子が電池フタ１５側に設けられていないので、電池１４ａの装着時などにおける電池端子の破損を防止することができ、また、電池フタの構造を簡単にすることができる。
【産業上の利用可能性】
【００１４】
本発明の電源スイッチ装置は、電池端子が電池フタ側に設けられていないので、電池の装着時などにおける電池端子の破損を防止することができ、また、電池フタの構造を簡単にすることができ、補聴器などのように電池を電池フタにより押圧して装着する際に電源をオンにする電子機器に利用することができる。
【図面の簡単な説明】
【００１５】
【図１】本発明に係る電源スイッチ装置の一実施の形態として補聴器を示す構成図であって電源切り状態を示す図
【図２】本発明に係る電源スイッチ装置の一実施の形態として補聴器を示す構成図であって電源入り状態を示す図
【図３】従来例として補聴器の電源スイッチ装置を示す構成図であって電源切り状態を示す図
【図４】従来例として補聴器の電源スイッチ装置を示す構成図であって電源入り状態を示す図
【符号の説明】
【００１６】
１０  本体（ケーシング）
１０ａ、１５ｂ  フック
１１  マイク
１２  アンプ回路
１３  スピーカ
１４ａ  電池
１５  電池フタ
１５ａ  回動軸
１６ａ、１６ｂ  −電池端子
１７  ＋電池端子
【図１】
2005216684.tif 000003
【図２】
2005216684.tif 000004
【図３】
2005216684.tif 000005
【図４】
2005216684.tif 000006